(57)【要約】【課題】カーテン地の洗濯時に際し、開閉コードと一緒に挿通ガイドをカーテン地から取り外し、洗濯後には、開閉コードと一緒に挿通ガイドを簡便にカーテン地に付け直せるようにする。【解決手段】カーテン地１２の長さ方向に所要の間隔をおいて複数本のテンションバー１５をカーテン地の幅方向に平行に取り付けると共に、カーテン地の長さ方向に所要の間隔をおいて複数個の挿通ガイド１３を取り付け、カーテン地の長さ方向に一直線状に並んだ複数個の挿通ガイドに開閉コード１４を挿通し、その並んだ端部の挿通ガイドを突き抜けた開閉コードの先端をカーテン地に接合し、開閉コードを引いて開閉操作され、隣合うテンションバーの間でカーテン地が折り畳まれて開閉される折畳開閉カーテンにおいて、テンションバーの先端からカーテン地の内側に向けて軸桿１７を突き出させ、その軸桿に挿通ガイドを設ける。軸桿はテンションバーの先端に着脱可能に固定する。【選択図】図２
2005087304.tif 000002
【特許請求の範囲】
【請求項１】
（ａ）  カーテン地（１２）の長さ方向に所要の間隔をおいて複数本のテンションバー（１５）をカーテン地の幅方向に平行に取り付けると共に、カーテン地の長さ方向に所要の間隔をおいて複数個の挿通ガイド（１３）を取り付け、それらカーテン地の長さ方向に一直線状に並んだ複数個の挿通ガイド（１３）に開閉コード（１４）を挿通し、その並んだ端部の挿通ガイドを突き抜けた開閉コード（１４）の先端をカーテン地（１２）に接合し、その開閉コード（１４）の他端を引いて開閉操作され、隣合うテンションバー（１５）とテンションバー（１５）の間でカーテン地（１２）が折り畳まれて開閉される折畳開閉カーテンにおいて、（ｂ）  テンションバーの先端からカーテン地の内側に向けて軸桿（１７）が突き出ており、（ｃ）  その突き出た軸桿（１７）に挿通ガイド（１３）が設けられており、（ｄ）  その軸桿（１７）がテンションバー（１５）の先端に着脱可能に固定されていることを特徴とする折畳開閉カーテン。
【請求項２】
軸桿（１７）のテンションバーに固定する部分が、テンションバー（１５）の端面を被覆するキャップ（１６）を構成している前掲請求項１に記載の折畳開閉カーテン。
【請求項３】
テンションバー（１５）がパイプによって構成されており、軸桿（１７）の挿通ガイド（１３）とは反対側となる他端からパイプ（１５）に差し込まれる差込桿（１８）が突き出ており、その差込桿（１８）と軸桿（１７）が向かい合ってＵ字形を成している前掲請求項１と請求項２に記載の折畳開閉カーテン。
【請求項４】
軸桿（１７）の挿通ガイドとは反対側となる他端と挿通ガイドの間に、連結孔（２６）が設けられている前掲請求項１と請求項２と請求項３に記載の折畳開閉カーテン。
【発明の詳細な説明】
【技術分野】
【０００１】
カーテン地の長さ方向に所要の間隔をおいて複数本のテンションバーをカーテン地の幅方向に平行に取り付けると共に、カーテン地の長さ方向に所要の間隔をおいて複数個の挿通ガイドを取り付け、それらカーテン地の長さ方向に一直線状に並んだ複数個の挿通ガイドに開閉コードを挿通し、その並んだ端部の挿通ガイドを突き抜けた開閉コードの先端をカーテン地に接合し、その開閉コードの他端を引いて開閉操作され、隣合うテンションバーとテンションバーの間でカーテン地が折り畳まれて開閉される折畳開閉カーテンに関するものである。慣用される折畳開閉カーテンの多くは、テラスや窓等の建物の鉛直な開口部に吊り下げて垂直方向に開閉操作して使用されるが、天窓や天井に設置して水平方向に開閉操作し、或いは、斜面に沿って斜め方向に開閉操作して使用されることもある。垂直方向に開閉操作して使用される折畳開閉カーテンは、たくし上げカーテン、或いは、ローマンシエードとも称されている。又、比較的目付けの少ない薄手のカーテン地を樹脂加工して硬く仕上げ、折り畳まれて出来る折り目が予めセットされた折畳開閉カーテンは、プリーツカーテンとも称されることもある。
【背景技術】
【０００２】
挿通ガイドは、１個づつカーテン地に直接取り付けられる場合と、予め所要の間隔をもってテープを取り付け、そのテープを介してカーテン地に間接的に取り付けられる場合とがある。
【特許文献１】特開平１０−２６２８０７号公報（図１）
【特許文献２】特開２００２−１０２０５７号公報（図８）
【発明の開示】
【発明が解決しようとする課題】
【０００３】
挿通ガイドが直接取り付けられる場合、挿通ガイドはカーテン地に縫い付けられる。テープを介して挿通ガイドが間接的に取り付けられる場合でも、挿通ガイドはテープに縫い付けられる。つまり、何れの場合でも、挿通ガイドは縫合されており、容易にはカーテン地から取り外せないようになっている。このため、カーテン地の洗濯に際しては、開閉コードだけを挿通ガイドから抜き取り、挿通ガイドが付いたままカーテン地を洗濯することになる。
【０００４】
しかし、折畳開閉カーテンでは、複数本の開閉コードがそれぞれ複数個の挿通ガイドに挿通されており、それを挿通ガイドから取り外すことは手間のかかることであるし、洗濯後に再び開閉コードを挿通ガイドに挿通し直すことは更に手間のかかることである。又、挿通ガイドの付いたままカーテン地を洗濯するときは、挿通ガイドに擦られて少なからずカーテン地にダメージが生じる。そして、直接縫い付けるとしても、又、テープを介して間接的縫い付けるとしても、挿通ガイドを１個づつ縫い付ける作業は手間のかかることであり、それが折畳開閉カーテンを少なからず割高にしている。
【０００５】
そこで本発明は、カーテン地と挿通ガイドの取り付け構造を改善し、挿通ガイドをカーテン地に着脱自在に取り付け、カーテン地の洗濯時には、開閉コードと一緒に挿通ガイドをカーテン地から取り外し、洗濯後には、開閉コードと一緒に挿通ガイドを簡便にカーテン地に付け直せるようにすることを目的とする。
【課題を解決するための手段】
【０００６】
本発明に係る折畳開閉カーテンは、（ａ）  カーテン地１２の長さ方向に所要の間隔をおいて複数本のテンションバー１５をカーテン地の幅方向に平行に取り付けると共に、カーテン地の長さ方向に所要の間隔をおいて複数個の挿通ガイド１３を取り付け、それらカーテン地の長さ方向に一直線状に並んだ複数個の挿通ガイド１３に開閉コード１４を挿通し、その並んだ端部の挿通ガイドを突き抜けた開閉コード１４の先端をカーテン地１２に接合し、その開閉コード１４の他端を引いて開閉操作され、隣合うテンションバー１５とテンションバー１５の間でカーテン地１２が折り畳まれて開閉される折畳開閉カーテンにおいて、（ｂ）  テンションバーの先端からカーテン地の内側に向けて軸桿１７を突き出させ、（ｃ）  その突き出た軸桿１７に挿通ガイド１３を設け、（ｄ）  その軸桿１７をテンションバー１５の先端に着脱可能に固定したことを第１の特徴とする。
【０００７】
本発明に係る折畳開閉カーテンの第２の特徴は、上記第１の特徴に加えて、軸桿１７のテンションバーに固定する部分が、テンションバー１５の端面を被覆するキャップ１６を構成している点にある。
【０００８】
本発明に係る折畳開閉カーテンの第３の特徴は、上記第１と第２の何れかの特徴に加えて、テンションバー１５がパイプによって構成されており、軸桿１７の挿通ガイド１３とは反対側となる他端からパイプ（１５）に差し込まれる差込桿１８が突き出ており、その差込桿１８と軸桿１７が向かい合ってＵ字形を成している点にある。
【０００９】
本発明に係る折畳開閉カーテンの第４の特徴は、上記第１と第２と第３の何れかの特徴に加えて、軸桿１７の挿通ガイドとは反対側となる他端と挿通ガイドの間に連結孔２６が設けられている点にある。
【発明の効果】
【００１０】
本発明によると、カーテン地に取り付けたテンションバー１５の端末に軸桿１７を装着すると、挿通ガイド１３がカーテン地１２に取り付けられたことになり、その軸桿１７をテンションバー１５から取り外すと、開閉コード１４も挿通ガイド１３と一緒にカーテン地１２から取り外されることになる。即ち、挿通ガイド１４と開閉コード１３が共にカーテン地１２に対して着脱自在になる。このため、カーテン地の洗濯の際に、挿通ガイドと開閉コードの取り外しと付け直しに手間取らず、カーテン地を随時手軽に洗濯することが出来るようになり、洗濯時にカーテン地が挿通ガイドに擦られてダメージを受けることもなくなる。
尚、洗濯の際には、テンションバー１５をカーテン地１２から抜き取ることになる。しかし、表面が平滑なテンションバー１５をカーテン地１２から抜き取ることは極めて容易であり、そのことは本発明の効用を妨げることにはならない。
【００１１】
テンションバー１５は、カーテン地の幅を一定にする手段として在来の折畳開閉カーテンにも適用されている。本発明は、言わば、そのテンションバー１５の両端に装着されるキャップの形状を変えて構成されるものであるから、本発明によって折畳開閉カーテンが格別コストアップになることはなく、よって、本発明は頗る実用的である。
【発明を実施するための最良の形態】
【００１２】
テンションバー１５には、パイプ、竹棒、木棒、ピアノ鋼線、ガラス繊維等の多繊糸条を樹脂によって硬く仕上げた樹脂強化糸条、プラスチック棒等が適用される。テンションバーの断面は、矩形、扁平、円形、三角形、星形、Ｕ字形を成すものでもよい。
【００１３】
図１と図２は、テンションバー１５の両端に装着されるキャップ１６を図示するものである。テンションバー１５にはパイプが適用されている。キャップ１６は、テンションバー１５に内嵌する差込桿１８の一端に太い頭部１９を設け、その頭部１９から差込桿１８の長さ方向に軸桿１７を突き出し、その軸桿１７の先端に挿通ガイド１３を設けて構成されている。差込桿１８と頭部１９の間には、それらの太さ（外径）の差に応じた段差（ステップ）２０が設けられている。キャップ１６は、差込桿１８と頭部１９と軸桿１７と挿通ガイド１３を含む全体をプラスチック射出成形により一体的に形成されている。
【００１４】
頭部１９からは、挿通ガイド付き軸桿１７と同様に、補助桿２１を差込桿１８の長さ方向に突出させ、差込桿１８と軸桿１７および補助桿２１の間で、差込桿１８の差し込まれたパイプ（テンションバー）１５の周壁が把持されるようにするとよい。その把持力を強めるには、軸桿１７の先端を差込桿１８の軸芯側（Ｘ−Ｙ）に片寄らせるとよい。即ち、軸桿１７の長さ方向を差込桿１８の軸芯Ｘ−Ｙに対して傾斜させる。更に好ましくは、頭部１９から軸桿１７を差込桿１８よりも長く突き出させ、先端の挿通ガイド１３が差込桿１８の軸芯Ｘ−Ｙを超えるように、軸桿１７の先端部分を差込桿１８の軸芯Ｘ−Ｙに対して傾斜させる。
【００１５】
図１と図２に示すキャップでは、差込桿１８が円形断面形状になっているが、差込桿１８が、その太さに比して長く頭部１９から突き出ており、テンションバー（パイプ）１５の内壁面に密着する形状を成すものである限り、差込桿１８は、如何なる形状を成すものでもよい。即ち、差込桿１８の断面形状は、円形に限らず、楕円、三角形、矩形、星形、Ｙ字形、Ｉ字形、Ｕ字形等を成すものであってもよい。
【００１６】
カーテン地１２には、その幅方向に続く袋溝形の空洞２２を、その丈（高さ）方向に所要の間隔で複数条設け、その袋溝形の空洞２２に差し込んでテンションバー１５をカーテン地１２に取り付けるとよい。
そのような袋溝形の空洞２２は、カーテン地をその長さ方向に折り畳み、その折り目に沿って折り畳まれて重なり合うカーテン地とカーテン地を縫合して形成してもよい。テンションバー１５は、袋溝形の空洞２２を有する布製その他の可撓な筒体をカーテン地に取り付けておき、その筒体の空洞２２に差し込んで挿抜自在にカーテン地に取り付けることも出来る。又、テンションバー１５は、カーテン地１２の幅方向に飛び飛びに付設した輪奈に挿通させてカーテン地に挿抜自在に取り付けることも出来る。キャップ１６のテンションバー１５からの抜け外れを回避するためには、カーテン地１２に食い込む爪４０を差込桿１８に向けて軸桿１７に突設しておくとよい。図３は、カーテン地１２の上縁を固定フレーム１１に固定して垂直方向に開閉して使用される折畳開閉カーテンを図示するものである。カーテン地１２の上縁と固定フレーム１１の間は、常法に従って面ファスナーやホック等を介して着脱自在に接合される。
【００１７】
図４は、水平方向に開閉される折畳開閉カーテンを図示し、図５は、そのテンションバーの端部に装着されたキャップ１６を図示するものである。軸桿１７の挿通ガイドとは反対側となる他端と挿通ガイドの間には、カーテンレール２３を走行するランナー２４に連結する連結部材２５を取り付ける連結孔２６が設けられている。テンションバー１５にはパイプが適用されている。差込桿１８の先端には、テーパー２７が付けられており、又、差込桿１８の先端部は割溝２８によって２条に分岐しており、テンションバー（パイプ）１５に内嵌し易くなっている。頭部１９に続く差込桿１８の根元部には、軸芯Ｘ−Ｙに平行にリブ２９が突設されており、パイプ（テンションバー）１５の内側周面３９に強固に密着するようになっている。
【００１８】
差込桿１８の太さは、パイプ（テンションバー）１５の内径に相当する程度に太くすることは必ずしも必要とされない。差込桿１８と軸桿１７は、キャップ１６とは一体を成さない別部材として構成することも出来る。図６に示す差込桿１８ａは、軸桿１７と向かい合ってＵ字形を成す部材を構成しており、キャップ１６の頭部１９から突き出た差込桿１８ｂとパイプ（テンションバー）１５の内側周面３９の間に挟み込まれるようになっている。テンションバー１５の内側周面３９と差込桿１８ｂの間に挟み込み易くするために、差込桿１８ｂの周面には、差込桿１８ａの太さに応じた嵌合溝３０を設けておくとよい。差込桿１８ｂの太さは、それがパイプ（テンションバー）１５の内部空洞の内径と略同じに設定する。
【００１９】
軸桿１７をテンションバーに着脱可能に固定するために、軸桿１７を差込桿１８やキャップ１６と一体的に形成することは必ずしも必要とされない。特に、図７に図示するように、竹棒や木棒等の中実断面のテンションバーを使用する場合、テンションバーに外嵌して密着するリング３１の軸芯Ｘ−Ｙに平行に軸桿１７を担持させてテンションバーに装着することも出来る。
【００２０】
テンションバーに、軸桿１７を確り固定するためには、それをテンションバーに係止するキャップ１６や差込桿１８やリング３１をテンションバーにビス等によって固定することも出来るが、このことは軸桿１７のテンションバー１５への着脱可能性を損なうことにはならない。図６と図７において、３２はビスを示し、３３はビス孔を示す。
【００２１】
垂直方向に開閉する折畳開閉カーテンでは、テンションバーとテンションバーの間に生じる折り目を揃えるために、テンションバーと同様にウエイトバー３４をカーテン地１２に取り付けるとよい。図８は、ウエイトバー３４にパイプを適用するとき、そのウエイトバー３４の端面を被覆するキャップ３６を図示するものである。このキャップ３６は、図１と図２と図５に示すキャップ１６と同様に頭部３８に差込桿３７と係止桿３５を平行に突設して構成されている。
【図面の簡単な説明】
【００２２】
【図１】本発明に係るキャップの平面図である。
【図２】本発明に係るテンションバーの端部の分解斜視図である。
【図３】本発明に係る折畳開閉カーテンの斜視図である。
【図４】本発明に係る折畳開閉カーテンの斜視図である。
【図５】本発明に係るテンションバーの端部の断面図である。
【図６】本発明に係るテンションバーの端部の分解斜視図である。
【図７】本発明に係るテンションバーの端部の分解斜視図である。
【図８】本発明に係るキャップの斜視図である。
【符号の説明】
【００２３】
１１：固定フレーム
１２：カーテン地
１３：挿通ガイド
１４：開閉コード
１５：テンションバー
１６：キャップ
１７：軸桿
１８，１８ａ，１８ｂ：差込桿
１９：頭部
２０：段差部
２１：補助桿
２２：袋溝形空洞
２３：カーテンレール
２４：ランナー
２５：連結部材
２６：連結孔
２７：テーパー
２８：割溝
２９：リブ
３０：嵌合溝
３１：リング
３２：ビス
３３：ビス孔
３４：ウエイトバー
３５：係止桿
３６：キャップ
３７：差込桿
３８：頭部
３９：内側周面
４０：爪
Ｘ−Ｙ：軸芯
【図１】
2005087304.tif 000003
【図２】
2005087304.tif 000004
【図３】
2005087304.tif 000005
【図４】
2005087304.tif 000006
【図５】
2005087304.tif 000007
【図６】
2005087304.tif 000008
【図７】
2005087304.tif 000009
【図８】
2005087304.tif 000010